(57)【要約】      （修正有）【課題】天井や壁に設置した状態でエアコンを一人で洗浄することができる簡易的な洗浄廃液等の回収用具を提供する。【解決手段】合成樹脂で形成され洗浄廃液を受ける袋状のホッパーと、このホッパーの上端周囲に設けられ、ホッパーの上端部を広く開口した状態を保持する上端保持枠と、この上端枠に取り付けられ、壁に設置されたエアコン等に引っ掛けることができる一本又は複数本の吊りバンドとを具備したもの。【選択図】図１
0003143261.tif 000002
【実用新案登録請求の範囲】
【請求項１】
合成樹脂で形成された袋状のホッパーと、このホッパーの上端周囲に設けられ、ホッパーの上端部を広く開口した状態を保持する上端保持枠と、この上端枠に取り付けられ、壁に設置されたエアコン等に引っ掛けることができる一本又は複数本の吊りバンドとを具備したものである洗浄廃液を捕集し、あるいは塗装時の塗料の飛散を防止するための洗浄廃液等の回収用具。
【請求項２】
合成樹脂で形成され洗浄廃液を受ける合成樹脂あるいは金属材料で形成した箱状のホッパーと、このホッパーの上端周囲に取り付けられ、壁に設置されたエアコン等に引っ掛けることができる一本又は複数本の吊りバンドとを具備したものである洗浄廃液を捕集し、あるいは塗装時の塗料の飛散を防止するための洗浄廃液等の回収用具。
【請求項３】
合成樹脂で形成され洗浄廃液を受ける表シートと裏シートからなる袋状のホッパーと、このホッパーの裏側シートの上方にエアコン等の周囲寸法より若干大きな穴を設け、上記ホッパーをこの穴を利用して壁に設置されているエアコン等に引っ掛けるようにしたものである洗浄廃液を捕集し、あるいは塗装時の塗料の飛散を防止するための洗浄廃液等の回収用具。
【請求項４】
合成樹脂で形成され洗浄廃液を受ける袋状のホッパーと、このホッパーの上端周囲に設けられた複数のクリップと、このクリップをエアコン等の下端鍔部挟持することにより前記ホッパーをエアコン等の下端に取り付けるものである洗浄廃液を捕集し、あるいは塗装時の塗料の飛散を防止するための洗浄廃液等の回収用具。
【請求項５】
前記請求項１乃至４記載のいずれかの洗浄廃液等の回収用具において、ホッパーの下端に回転自在の排水継ぎ手を設け、この排水継ぎ手に排水ホースを設けるものである洗浄廃液を捕集し、あるいは塗装時の塗料の飛散を防止するための洗浄廃液等の回収用具。
【考案の詳細な説明】
【技術分野】
【０００１】
本考案は、エアコンを洗浄するときの廃液回収用具に関し、特にエアコン等を天井や壁から取り外すことなく、設置した状態で洗浄するときの洗浄廃液を捕集回収するため、あるいは塗装時の塗料の飛散を防止するための簡易的な洗浄廃液等の回収用具に関する。
【背景技術】
【０００２】
エアコンは長年の使用によって機体に内蔵されている熱交換器や吸い込み口に設けられているフィルターに大量のごみが付着する。熱交換器の熱交換コイルあるいはエバポレーターにごみが付着すると熱交換効率が大幅に低下する。
又、フィルターにごみが詰まると通風抵抗が増大し、同様にエアコンの性能が低下する。性能の低下は消費電力の増加を招き、地球温暖化の要因にもなっている。
【０００３】
これらの課題を解決するためには、熱交換器やフィルターを定期的に洗浄して、熱交換器の表面に付着したごみや汚れを除去し、同様にフィルターに付着したほこりやごみを除去して目詰まりを解消し、性能を回復することが求められている。
【考案の開示】
【考案が解決しようとする課題】
【０００４】
エアコン等を洗浄する場合は、エアコン等本体を壁から取り外し、分解して洗浄するのが好ましいが、一般家庭や個人で行うことが困難である。
そのため、エアコンの分解、洗浄は業者任せで高い費用を要することから、性能が低下したエアコンをそのまま使用しているのが現実である。
本考案の目的は、前期課題に着目し、天井や壁に設置した状態でエアコン等を一人で洗浄することができる簡易的な洗浄廃液回収用具を提供することである。
【課題を解決するための手段】
【０００５】
前記の課題を解決するために本考案は、合成樹脂で形成され洗浄廃液を受ける袋状のホッパーと、このホッパーの上端周囲に設けられ、ホッパーの上端部を広く開口した状態を保持する上端保持枠と、この上端枠に取り付けられ、壁に設置されたエアコン等に引っ掛けることができる一本又は複数本の吊りバンドとを具備したものである。
又、本考案は、合成樹脂で形成され洗浄廃液を受ける合成樹脂あるいは金属材料で形成した箱状のホッパーと、このホッパーの上端周囲に取り付けられ、壁に設置されたエアコン等に引っ掛けることができる一本又は複数本の吊りバンドとを具備したものである。
又、本考案は、合成樹脂で形成され洗浄廃液を受ける表シートと裏シートからなる袋状のホッパーと、このホッパーの裏側シートの上方にエアコン周囲寸法より若干大きな穴を設け、上記ホッパーをこの穴を利用して壁に設置されているエアコン等に引っ掛けるようにしたものである。
又、合成樹脂で形成され洗浄廃液を受ける袋状のホッパーと、このホッパーの上端周囲に設けられた複数のクリップと、このクリップを天井埋め込み型のエアコンの下端鍔部に取り付けることにより前記ホッパーをエアコン等の下端に取り付けるようにしたものである。
更に又、前記のホッパーの下端に回転自在の排水継ぎ手を設け、この排水継ぎ手に排水ホースを設けたものである。
【考案の効果】
【０００６】
前記手段よって本考案は、天井や壁に設置した状態でエアコンを一人で洗浄あるいは塗装することができる簡易的な洗浄廃液回収用具を提供することができたものである。
又、前記のように簡易的な洗浄廃液回収用具を用いれば、市販の洗浄液を噴霧器で熱交換器やフィルターに吹き付けることにより、安価、簡便にエアコンを洗浄することが可能になる。
従って、業者と同様のエアコン洗浄が簡便にできることにより、夏、冬を問わず、快適にエアコンを使用することができ、更に、省エネ効果も期待できるものである。
【考案を実施するための最良の形態】
【０００７】
本考案の最良の形態は、天井や壁に設置してあるエアコンに取り付けて洗浄廃液を回収することができる袋状あるいは箱状のホッパーとすることである。
【実施例１】
【０００８】
以下、本考案の第１の実施例を図１乃至図３に基づいて説明する。
図１及び図２において、１は壁に設置してあるエアコン本体、２は合成樹脂性フィルムからなる袋状のホッパーである。ホッパー２の下端中央部には排水口２１が開けられており、この排水口２１には排水継ぎ手２２が設けられている。
【０００９】
排水継ぎ手２２は合成樹脂で形成され、鍔付き管２３とこの外周に螺合されるナット２４からなる。そして、鍔付き管２３の鍔とナット２４でホッパー２の排水口２１の周囲を挟持することによりホッパーに排水継ぎ手２２が取り付けられる。但し、ホッパー２が合成樹脂性のフィルムの場合はナット２４などを用いることなく鍔付き管２３の鍔部を直接ホッパー２の排水口２１の周囲下面に接着剤によって直接取り付けるようにするのが良い。
【００１０】
４は合成樹脂性の差し込み継ぎ手で、排水継ぎ手２２にＯリング等により回転自在に取着されている。５はこの差し込み継ぎ手４に被挿したホースを示している。ホース５を差し込み継ぎ手４に被挿した場合、ホースが捩れていた場合でも、この差し込み継ぎ手４が回転自在になっていのでホッパー２やホース５の捩れが自然に復元し、特にホッパー２は使いやすい正常な形になり、その形を維持できるようになる。
尚、前記の差し込み継ぎ手４の外周には環状の凹凸を設け、ホース５が確実に装着でき、且つ容易に抜けないようにするのが良い。
【００１１】
２Ａは金属製あるいは合成樹脂製の保持枠で、ホッパー２の上端周囲に設けられている。この保持枠２Ａは剛性の高い針金や合成樹脂で形成され、ホッパー２の上端部に糸で括り付けられるか、あるいはホッパー２の上端部に設けた袋状通路に挿入されて取り付けられているものである。この保持枠２Ａは袋状ホッパー２の上方を大きく開口させた状態を維持しているので、洗浄時あるいは塗装時、エアコン本体１から流下する洗浄廃液を確実に捕集し、あるいは塗装時の塗料を周囲に飛散させることなく確実に捕集できるものである。
【００１２】
６は前記保持枠２Ａの左右に掛け渡されて取り付けられた一本あるいは複数本の吊り下げバンドである。この吊り下げバンド６は、少なくとも保持枠２Ａの両脇に２点釣りにし、保持枠２Ａが水平に安定的に保持できるようになされている。そして、吊り下げバンド６を家屋の壁７に設置されたエアコン本体１の上方に図１、図２のように引っ掛けることによって、ポッパー２はエアコンに吊り下げ取り付けられる。図２はこれを横から見た図である。吊り下げバンド６は一本よりも複数本にした方がホッパー２を安定的に吊り下げ保持できると共に、洗浄廃液を受けたときの重さにも充分耐えることができるので好ましい。
【００１３】
前記構成において洗浄や塗装作業をするときは、先ずポッパー２を吊り下げバンド６を利用して壁７に設置されているエアコン本体１に引っ掛け吊り下げる。
次に、エアコン本体１のフロントグリルを取り外し、エアコン内部が臨めるようにする。次いで市販の洗浄液を噴霧器（図示せず）で内部の熱交換器やフィルター等に吹き付け、洗浄を行う。
【００１４】
洗浄液はホッパー２で受けられ、排水継ぎ手２２、排水ホース５を通してポリ容器、ポリバケツや外部の排水口に捨てられる。尚、このとき排水継ぎ手２２が回転自在になっていることから排水ホース５の捩れや暴れが解消されると共に、ホッパー２の捩れも解消される。又、ホッパー２の上端は廃液を飛散することのない充分な大きさの開口が維持され、安全に廃液を捕集することができるものである。
塗装作業時に発生し飛散する塗料も同様にして確実に捕集される。
【００１５】
この第１の実施例によれば、ホッパー２が合成樹脂フィルムで構成されているので非常に軽く持ち運び性に優れ、又、保持枠２Ａを設けているので上方開口部の保形性が良好で、廃液や飛散する塗料も確実に捕集できる効果を有する。
【００１６】
次に請求項２記載の第２の実施例を図４及び図５に基づいて説明する。この第２の実施例の特徴は前記１の実施例の袋状のホッパーを箱型のホッパー２３としたことにある。
【００１７】
箱型のホッパー２３は、合成樹脂あるいはステンレス等の金属板で構成され、ある程度の合成を有する材料で構成されている。又、このホッパー２３の後面には後面板２３Ａを上方に立ち上がらせて設けてある。この後面板２３Ａはエアコン本体１にホッパー２３を吊り下げバンド６で吊り下げたときに、後面板２３Ａがエアコン本体１と壁Ｗ間の隙間に入り込み、ホッパー２３がエアコン本体１に安定的に吊り下げ保持されるように機能する。
【００１８】
この第２の実施例による洗浄作業も前記第１の実施例と同様に行うことができる。すなわち、エアコン本体１の洗浄廃液は箱型ホッパー２３で受けられ、排水継ぎ手２２を通して排水ホース５により排水される。尚、前記１の実施例と同一の符号は同一の部品を示しているので、説明は省略する。
【００１９】
この第２の実施例によれば、ホッパーを比較的高い剛性を有する箱状のホッパーとしているので保形性が良好で、廃液や飛散している塗料を確実に捕集できる効果を有する。
但し、輸送性や持ち運び性に関しては大重量となること、広いスペースが必要となることでデメリットも併せ有する。
【００２０】
次に請求項３記載の第３の実施例を図６乃至図１０に基づいて説明する。第３の実施例は袋状ホッパーのみで廃液を捕集することができる簡便なホッパーを提供するものである。
【００２１】
第３の実施例の特徴は前述のようにシートにより構成された袋状のホッパーにエアコンへの取り付け用穴を開け、この穴を利用してホッパーをエアコンに取り付けるようにしたことである。
【００２２】
以下図６乃至図１０に基づいて具体的な構成について説明する。図において、１０１はエアコン本体、１０２はエアコン本体１に内装された熱交換器、１０３は吹き出し口を示す。
【００２３】
１０４は薄いシートで構成され、エアコン本体１０１の洗浄廃液や塗料粒を捕集するホッパーであり、図９及び図１０のように構成される。図において、１０５は袋を構成する表シート、１０６は同じく袋を構成する裏シートであり、これらの二枚のシート１０５及び１０６は上辺を残してその周囲が熱融着されて袋状体が構成される。
【００２４】
裏シートの上部にはこのホッパー１０４をエアコン本体１０１に取り付けるための穴１０７が設けられている。この穴１０７は、エアコン本体１０１の周囲の寸法と同等かあるいは若干大きい寸法の穴で、カッターで人為的に切り抜くか、大量生産の場合はプレスの打ち抜き加工で明けられるものである。
【００２５】
このように構成されたホッパー１０４は前記の穴１０７を利用することによりエアコン本体１０１に簡単に取り付けることができる。すなわち、ホッパー１０１の穴１０７をエアコン本体１０１の周囲に挿入すれば、穴１０７の上辺がエアコン本体１０１の上面に引っ掛かるので、この状態でホッパー１０４はエアコン本体１０１に吊り下げ状態で取り付けられる。図６はその正面図、図７は同じく側面図、図８は同様に上面図を示している。
【００２６】
前述のように、ホッパー１０４をエアコン本体１０１に吊り下げ取り付けてエアコン本体１０１の熱交換器やフィルターを噴霧、噴射、スプレイなどで洗浄すれば、その洗浄廃液は上記ホッパー１０４捕集され、上記と同様に簡易的に洗浄作業ができる。洗浄廃液が多いときは第１、第２の実施例のように排水継ぎ手、排水ホースを用いるようにすることが望まれる。
【００２７】
この第３の実施例によれば、ホッパーがシートからなる袋単体で構成されることから、非常に軽く、又、特に輸送などの取り扱い性も非常に良好になる。
又、安価になるので汚れた場合は使い捨ても可能になるぐらい簡便である。
【００２８】
尚、前記図９及び図１０は市販のごみ袋を利用するイメージであるが、洗浄廃液捕集専用のホッパーを新たに製造する場合は図１１のような構造とするのが良い。
図に示すようにホッパーは下方をロート状とした袋状ホッパーとし、下端に開けた排水口２１の周囲にテーパー管状の排水チューブ１０８を両面テープ等の接着テープ１０９で接着取り付けるように構成したものである。
更に、穴１０７のコーナー部１０７Ａに丸みをつけ、応力を分散してコーナー部から亀裂が生じるのを防止すること、あるいはコーナー部に別シートを接着して補強し強度を向上するようにすることが袋状ホッパー単体の場合は実際的であろう。
【００２９】
前記第１乃至第３の実施例は、壁に取り付けたエアコンを洗浄するものに適用するものであるが、本考案は天井に設置したものにも同様に適用されるものである。但し、取り付け構成については若干の変更を要するので、以下図１２に基づいて説明する。
【００３０】
図において、２０１はエアコン本体で、２０２は内蔵された熱交換器を示す。
２０３は前述同様の袋状ホッパーであり、このホッパー２０３には上端開口部に複数のクリップ２０４が設けられている。これらのクリップ２０４は前記エアコン本体２０１のフレーム下端の鍔部を挟持できるようになっており、これによりホッパー２０３はエアコン本体２０１の下面に吊り下げ取り付けられる。符号３、４、５は第１の実施例図１に示したものと同一のものであり、２０５は天井を、２０６はホッパー２０３の上端手前の開口部を示している。
【００３１】
ホッパー２０３をエアコン本体２０１に吊り下げ取り付けてエアコン本体１０１の熱交換器やフィルターに洗浄液を噴霧、噴射、スプレイなどで吹きかけ洗浄すれば、その洗浄廃液は上記ホッパー２０３捕集され、上記と同様に簡易的に洗浄作業ができる。ホッパー２０３で捕集された洗浄廃液は第１、第２の実施例のように排水継ぎ手、排水ホースを通って排水される。
【００３２】
このようにして本考案によれば、天井や壁に設置した状態でエアコンを一人で洗浄あるいは塗装作業を行うことができる簡易的な洗浄廃液等の回収用具を提供することができたものである。
又、前記のように簡易的な洗浄廃液等の回収用具を用いれば、市販の洗浄液を噴霧器で熱交換器やフィルターに吹き付けることにより、安価、簡便にエアコンを洗浄することが可能になる。又、同様に塗装作業も行うことができる。
更に、業者と同様のエアコンの洗浄や塗装が簡便にできることにより、夏、冬を問わず、快適且つ衛生的なエアコンを使用することができ、更に、省エネ効果も期待できるものである。
【産業上の利用可能性】
【００３３】
本考案によれば、天井や壁に設置あるいは吊り下げられたエアコンのみならず、冷凍機の室内機、レンジフード、換気扇、天井扇、及びこれらに類する装置の洗浄や塗装作業にも適用され、これらをも含むものであることに留意すべきである。
特に、本明細書におけるエアコン等の表現は前記の適用製品、装置を総称するものであることに注意されたい。
【図面の簡単な説明】
【００３４】
【図１】図１乃至図２は本考案の第１の実施例を示すもので、図１はホッパーをエアコン本体に装着した状態を示す正面図。
【図２】同側面図。
【図３】洗浄廃液回収ホッパーの底部を示す断面図。
【図４】図４及び図５は本考案の第２の実施例を示すもので、ホッパーをエアコン本体に装着した正面図。
【図５】同側面図。
【図６】図６乃至図１１は本考案の第３の実施例を示すもので、図６はホッパーをエアコン本体に装着した状態を示す正面図。
【図７】同側面図。
【図８】同上面図。
【図９】ホッパーを構成する表シートの正面図。
【図１０】ホッパーを構成する裏シートの正面図。
【図１１】新たに製造するホッパーの展開正面図。
【図１２】本考案の第４実施例を示すもので、ホッパーを天井設置型エアコン本体に装着した状態を示す正面図。
【符号の説明】
【００３５】
１、１０１、２０１・・・エアコン本体、
２、１０４、２０３・・・ホッパー、
２Ａ・・・保持枠、
２１・・・排水口、
２２・・・排水継ぎ手、
２３・・・鍔付き管、
２４・・・ナット、
４・・・差し込み継ぎ手、
５・・・排水ホース、
６・・・吊り下げバンド、
２３・・・箱型ホッパー、
２３Ａ・・・後面板、
１０２・・・熱交換器、
１０３・・・吹き出し口、
１０５・・・表シート、
１０６・・・裏シート、
１０７・・・穴、
１０７Ａ・・・丸み、
１０８・・・排水チューブ、
１０９・・・接着テープ、
２０４・・・クリップ、
２０５・・・天井、
２０６・・・開口部。
【図１】
0003143261.tif 000003
【図２】
0003143261.tif 000004
【図３】
0003143261.tif 000005
【図４】
0003143261.tif 000006
【図５】
0003143261.tif 000007
【図６】
0003143261.tif 000008
【図７】
0003143261.tif 000009
【図８】
0003143261.tif 000010
【図９】
0003143261.tif 000011
【図１０】
0003143261.tif 000012
【図１１】
0003143261.tif 000013
【図１２】
0003143261.tif 000014